(57)【特許請求の範囲】
【請求項１】
袋状であって開閉可能な収納口部を有する金封本体と、前記金封本体内に収納され、硬貨が固定される硬貨固定用シートとを備え、前記硬貨固定用シートには、孔部を有する硬貨の前記孔部内に挿通されて硬貨を係止固定しうる係止片部が設けられ、前記係止片部は、前記硬貨固定用シートの一部を切り起こして形成された一対の係止片からなり、
前記金封本体は、全体赤色に印刷された１枚の厚紙を折り畳んで袋体に形成され、全体平面略長方形状の表側側面部と、前記表側側面部とマチ部を形成することなく連設された裏側側面部とを有し、前記収納口部は表側側面部及び裏側側面部の上端部に形成され、
前記収納口部には開閉可能に形成された蓋部が設けられていることを特徴とする金封。
【請求項２】
前記硬貨固定用シートは平面長方形状に形成され、前記係止片部に隣接して金封の趣旨を説明する趣旨説明部が設けられていることを特徴とする請求項１記載の金封。
【発明の詳細な説明】
【技術分野】
【０００１】
本発明は、硬貨を固定する固定構造を備えた金封に関するものである。
【背景技術】
【０００２】
従来より、金封は、祝儀袋、不祝儀袋、熨斗袋などと称して、主に冠婚葬祭において紙幣を贈る際に、紙幣を一時的に収納するものとして、広く利用されており、形状としては、袋型や折り紙型のものなどの種類がある。
【０００３】
金封の利用方法としては、前述のように冠婚葬祭において紙幣を贈る場合に限られず、例えば、５円玉のような硬貨を封入して贈ることにより、贈る相手へ御縁がありますようにという贈り主の気持ちを伝達することもでき、縁起物として、贈呈することもできる。
【０００４】
しかしながら、このような利用方法においては、硬貨を、硬貨よりも大きい面積に形成された金封に収納することから、例えば、持ち運ぶ際に、収納された硬貨が金封内方で移動することにより、音や重心の移動によって開封する前に硬貨が入っていることが判ってしまい、開封する楽しみが減少してしまう。そこで、内方で、硬貨を固定することができる固定手段を備えた金封が要望されていた。
【０００５】
このような金封としては、特許文献１の金封が提案されている。特許文献１の金封においては、紙幣と共に硬貨をも入れることができるようにすることを課題として、金封の内面には硬貨を入れるためのポケット部を形成することが開示されている。
【０００６】
しかしながら、特許文献１の金封は、紙片上に紙幣または硬貨を載せて折曲して包む、所謂折り紙型の金封を前提とした発明であり、予め袋状に形成された金封に関するものではなかった。袋状の金封は、紙幣の封入や開封が容易であり、固定手段を備えた袋状金封が要望されていた。
【特許文献１】登録実用新案第３１４８００５号公報
【発明の開示】
【発明が解決しようとする課題】
【０００７】
そこで、本発明は、このような従来の要請に基づくものであって、硬貨を固定することができる固定手段を備えた袋状の金封を提供することを課題とする。
【課題を解決するための手段】
【０００８】
前記課題を解決するために、請求項１に記載の金封にあっては、袋状であって開閉可能な収納口部を有する金封本体と、前記金封本体内に収納され、硬貨が固定される硬貨固定用シートとを備え、前記硬貨固定用シートには、孔部を有する硬貨の前記孔部内に挿通されて硬貨を係止固定しうる係止片部が設けられ、前記係止片部は、前記硬貨固定用シートの一部を切り起こして形成された一対の係止片からなり、
前記金封本体は、全体赤色に印刷された１枚の厚紙を折り畳んで袋体に形成され、全体平面略長方形状の表側側面部と、前記表側側面部とマチ部を形成することなく連設された裏側側面部とを有し、前記収納口部は表側側面部及び裏側側面部の上端部に形成され、
前記収納口部には開閉可能に形成された蓋部が設けられていることを特徴とする。
【０００９】
従って、請求項１に記載の金封は、袋状であって開閉可能な収納口部を有する金封本体と、前記金封本体内に収納され、硬貨が固定される硬貨固定用シートとを備えていることから、硬貨を硬貨固定用シートに固定して、収納口部より、金封本体内へと収納することができる。  
また、収納口部を開いて金封本体内の硬貨固定用シートを取出すことができる。
【００１０】
また、請求項１に記載の金封は、前記硬貨固定用シートには、孔部を有する硬貨の前記孔部内に挿通されて硬貨を係止固定しうる係止片部が設けられていることから、係止片部を硬貨の孔部へ挿通することによって、硬貨を係止することができる。
【００１１】
また、請求項１に記載の金封は、前記係止片部は、前記硬貨固定用シートの一部を切り起こして形成された一対の係止片からなることから、係止片部は、硬貨固定用シートの一部として一体に形成されている。
【００１２】
また、請求項１に記載の金封は、前記金封本体は、全体赤色に印刷された１枚の厚紙を折り畳んで袋体に形成され、全体平面略長方形状の表側側面部と、前記表側側面部とマチ部を形成することなく連設された裏側側面部とを有し、前記収納口部は表側側面部及び裏側側面部の上端部に形成されている。
【００１３】
また、請求項１に記載の金封にあっては、前記収納口部には開閉可能に形成された蓋部が設けられている。
【００１４】
従って、請求項１に記載の金封は、前記金封本体は、全体赤色に印刷された１枚の厚紙を折り畳んで袋体に形成され、全体平面略長方形状の表側側面部と、前記表側側面部とマチ部を形成することなく連設された裏側側面部とを有していることから、金封本体内に収納された硬貨固定用シートの両面は其々、表側側面部及び裏側側面部に当接して硬貨固定用シートの動作が規制される。
【００１５】
また、請求項１に記載の金封は、前記収納口部には開閉可能に形成された蓋部が設けられていることから、蓋部によって収納口部方向への硬貨固定用シートの移動を規制することができ、収納口部から硬貨固定用シートが飛び出すことを防ぐことができる。
【００１６】
請求項２に記載の金封にあっては、前記硬貨固定用シートは平面長方形状に形成され、前記係止片部に隣接して金封の趣旨を説明する趣旨説明部が設けられている。
【００１７】
従って、請求項２に記載の金封にあっては、前記係止片部に隣接して金封の趣旨を説明する趣旨説明部が設けられていることから、硬貨固定用シートの係止片部に硬貨を係止した際には、係止された硬貨に隣接した箇所に、金封の趣旨を説明する趣旨説明部が設けられる。
【発明の効果】
【００１８】
請求項１に記載の金封にあっては、硬貨を硬貨固定用シートに固定して、収納口部より、金封本体内へと収納することができ、収納口部を開いて金封本体内の硬貨固定用シートを取出すことができる。
【００１９】
従って、硬貨は硬貨固定用シートに固定されて収納されるため、金封本体内での硬貨の動作を規制することができ、受け取った人が、開封する前に内容物が硬貨であることを察知してしまう事態を抑制することができ、開封する楽しみを提供することができる。また、硬貨固定用シートの収納や取出しが容易である。
【００２０】
また、請求項１に記載の金封にあっては、係止片部を硬貨の孔部へ挿通することによって、硬貨を係止することができるため、孔部を有する硬貨を確実に係止することができる。
【００２１】
また、請求項１に記載の金封にあっては、係止片部は、硬貨固定用シートの一部として一体に形成されているため、硬貨固定用シートは、１枚のシートにより形成することができ、製造コストを低減することができる。
【００２２】
請求項１に記載の金封にあっては、全体赤色に印刷された１枚の厚紙を折り畳んで袋体に形成され、金封本体内に収納された硬貨固定用シートの両面は其々、表側側面部及び裏側側面部に当接して硬貨固定用シートの動作が規制されるため、振られた際に、硬貨固定用シートが金封本体内で移動してしまうことを抑制することができる。
従って、受け取った人が、開封する前に内容物が硬貨であることを察知してしまう事態をより抑制することができ、開封する楽しみを提供することができる。
【００２３】
また、請求項１に記載の金封にあっては、蓋部によって収納口部から硬貨固定用シートが飛び出すことを防ぐことができるため、内容物を確実に相手へ届けることができる。
【００２４】
請求項２に記載の金封にあっては、硬貨固定用シートの係止片部に硬貨を係止した際には、係止された硬貨に隣接した箇所に、金封の趣旨を説明する趣旨説明部が設けられることから、硬貨固定用シートを取出し、見た際には、硬貨と金封の趣旨説明とは、其々関連をもっていることを即座に認識することができ、例えば、趣旨説明にどのような想いがこめられた硬貨であるかを記載することにより、硬貨と贈ると共に、贈る人の想いを受け取る人へと伝えることができる。
【図面の簡単な説明】
【００２５】
【図１】図１は、本発明に係る金封の一実施の形態を示した平面図である。
【図２】図２は、本発明に係る金封の一実施の形態を示した裏面図である。
【図３】図３は、本発明に係る金封の一実施の形態を示し、硬貨固定用シートに５円硬貨を固定した状態を示す平面図である。
【図４】図４は、本発明に係る金封の一実施の形態を示し、硬貨固定用シートの斜視図である。
【発明を実施するための最良の形態】
【００２６】
以下、本発明に係る金封を実施の形態に基づき、図面を参照して詳細に説明する。本実施の形態に係る金封１０は、日本の会社が商品を購入してくれた中国人顧客に対して感謝の意を表する観点から無償で配布されるものであり、中国において使用されている「紅包」（ホンバオ）と称されるものを模している。
【００２７】
図１から図４に示すように、本発明に係る金封１０は、袋状であって開閉可能な収納口部１１を有する金封本体１２と、前記金封本体１２内に収納され、硬貨が固定される硬貨固定用シート１３とを備えている。硬貨固定用シート１３は、全体平面長方形状に形成され、金封本体１２よりもひと回り小さく形成されている。
【００２８】
図１または図２に示すように、前記金封本体１２は、全体赤色に印刷された１枚の厚紙を折り畳んで袋体に形成され、全体平面長方形状の表側側面部１４と、前記表側側面部１４とマチ部を形成することなく連設された裏側側面部１５とを有し、前記収納口部１１は表側側面部１４及び裏側側面部１５の上端部１６に形成されている。前記収納口部１１には開閉可能に形成された蓋部１７が設けられている。
【００２９】
図２に示すように、蓋部１７は、表側側面部１４の上端部１６より折線３０を介して上方へ略台形に膨出して形成されており、左右方向中央には、半円状に膨出して形成された蓋部係止片２９が設けられている。裏側側面部の上端部３６には、左右方向に沿ってスリット部２８が形成されている。
【００３０】
図１及び図２に示すように、金封本体１２は、全体赤色に印刷された１枚の厚紙を折り畳んで袋体に形成され、裏側側面部の下端部２３および裏側側面部の左端部２４において、糊付されて袋体に形成されている。
【００３１】
図１に示すように、表側側面部１４の上端部１６には、金色の文字で、「Ｂｅｓｔ  ｗｉｓｈｅｓ  ｆｏｒ  ｔｈｅ  Ｎｅｗ  Ｙｅａｒ」と印刷されている。「Ｂｅｓｔ  ｗｉｓｈｅｓ  ｆｏｒ  ｔｈｅ  ＮｅｗＹｅａｒ」という印刷の下方には「福」という文字が印刷されており、周囲には、図柄が印刷されている。
【００３２】
表側側面部１４の右端部２５には、金色の文字で、上下方向に沿って「吉祥如意」と印刷されると共に、表側側面部１４の左端部２６には、「臨」「門」の文字が周囲を装飾されて印刷されている。表側側面部１４の下端部２７には、帯状の装飾が左右方向に印刷されて設けられている。
【００３３】
このような金封１０は、一般に中国において紅包（ホンバオ）と称され、例えば、日本における正月のお年玉のように、春節などに貨幣を包み、縁起物として贈られる。
【００３４】
図３に示すように、前記硬貨固定用シート１３には、孔部１８を有する硬貨１９の前記孔部１８内に挿通されて硬貨１９を係止固定しうる係止片部２０が設けられている。図４に示すように、前記係止片部２０は、前記硬貨固定用シート１３の一部を切り起こして形成された一対の係止片２１，２１からなる。本実施の形態においては、硬貨１９は、５円貨幣である。
【００３５】
図３及び図４に示すように、一対の係止片２１，２１は、硬貨固定用シートの下端部３１において、左右方向中央に硬貨固定用シート１３との連結部３５を残して左右方向に沿って其々細長長方形状に切込みが設けられており、切り起こすことにより形成されている。
【００３６】
図３に示すように、係止片２１は、５円貨幣１９の孔部１８の径よりもやや小さい幅寸法に形成されている。硬貨固定用シート１３は平面長方形状に形成され、前記係止片部２０に隣接して金封１０の趣旨を説明する趣旨説明部２２が設けられている。
【００３７】
図３に示すように、本実施の形態においては、趣旨説明部２２は、文言説明部３３と写真説明部３４とから形成されている。写真説明部３４は、固定された５円貨幣１９が、贈り手によって神社で清められた５円貨幣１９であることを示す写真が３枚印刷され、係止片部２０の上方に隣接して形成されている。
【００３８】
写真説明部３４の上方には、文言説明部３３が形成されており、文言説明部３３は、硬貨固定用シートの上端部３２に印刷された「福銭」という主題と、「福銭」の下方に印刷された「皆様に良いご縁がありますように」という贈り手のメッセージとが印刷され、「皆様に良いご縁がありますように」というメッセージの印刷の下方には、中国語における金封１０の趣旨説明が記載されている。
【００３９】
即ち、係止固定された日本の５円貨幣１９は、日本においては音から「ご縁」に関連付けられ、「これからもご縁がありますように」又は「良いご縁がありますように」という金封１０を無償で配布する会社側の想いが込められている。
【００４０】
さらに、写真説明部３４において、当該会社の社長が自ら「東京銭洗い弁天  小綱神社」において係止固定された５円貨幣１９を清水により清め、清められた５円貨幣１９を弁天様に供えて日本式のお祈りを行いさらに清め、その５円貨幣１９がこの金封１０（紅包）に入っていることが説明されている。
【００４１】
以下、本発明に係る金封の作成の仕方について、図面を参照して詳細に説明する。
【００４２】
図４に示すように、本発明に係る金封１０を使用する際には、まず、係止片２１，２１をＬ字状に起こす。続いて、図３に示すように係止片２１，２１を其々、５円貨幣１９の孔部１８へと挿通させて、係止片２１，２１の先端部を左右方向に拡開させることにより係止される。
【００４３】
５円貨幣１９が係止固定された硬貨固定用シート１３は、収納口部１１を通じて金封本体１２内方へと収納する。収納された硬貨固定用シート１３の両面は其々、表側側面部１４及び裏側側面部１５に当接して硬貨固定用シート１３の動作が規制される。
【００４４】
最後に、硬貨固定用シート１３が収納された状態において、蓋部１７を折線３０より折り返し、蓋部１７に形成された蓋部係止片２９をスリット部２８へと挿入して蓋部１７を係止する。これにより、蓋部１７によって収納口部１１方向への硬貨固定用シート１３の動作を規制することができる。
【００４５】
本実施の形態においては、硬貨１９は５円貨幣である例を説明したが、これに限定されることはなく、中央に孔部が開設された貨幣であればよい。
【００４６】
従って、本発明に係る金封１０を受け取った中国人顧客は、中国文化においてなじみの深い「紅包」の中に、日本文化の象徴である５円貨幣１９による「良いご縁がありますように」という日本特有の祈りの文化に接することにより、文化を超えた感動を得ることができ、再来日を希望する中国人が多くなることから、「インバウンド」の動きを促進し、日本経済振興に大きく貢献することができる。
【産業上の利用可能性】
【００４７】
本発明に係る金封は、祝い事等において貨幣を封入して贈呈する際に用いることができ産業上の利用可能性を有している。
【符号の説明】
【００４８】
１０    金封
１１    収納口部
１２    金封本体
１３    硬貨固定用シート
１４    表側側面部
１５    裏側側面部
１６    上端部
１７    蓋部
１８    孔部
１９    硬貨（５円貨幣）
２０    係止片部
２１    係止片
２２    趣旨説明部
２３    裏側側面部の下端部
２４    裏側側面部の左端部
２５    右端部
２６    左端部
２７    下端部
２８    スリット部
２９    蓋部係止片
３０    折線
３１    硬貨固定用シートの下端部
３２    硬貨固定用シートの上端部
３３    文言説明部
３４    写真説明部
３５    連結部
３６    裏側側面部の上端部
【図１】
0006453148.tif 000002
【図２】
0006453148.tif 000003
【図３】
0006453148.tif 000004
【図４】
0006453148.tif 000005